(57)【要約】【課題】商品展示室内の商品サンプルの照明に要する維持管理コストを低減することができるとともに、販売機会を無用に逃すことがなく、しかも商品展示室内の商品サンプルのうちの一部の商品サンプルを効果的に目立たせることのできる自動販売機を提供する。【解決手段】人感センサ４０によって利用者が検知されるまでの間は各照明装置Ｌ１〜Ｌ６を微少光量の光量で点灯させ、人感センサ４０によって商品展示室３０の前面側に利用者が検知された際に各照明装置Ｌ１〜Ｌ６を前記光量よりも多い光量で点灯させると、利用者が近づくまでは各照明装置Ｌ１〜Ｌ６によって無用に電力が消費されることがなく、販売機会を逃すこともない。また、第６照明装置Ｌ６を第１照明装置Ｌ１〜第５照明装置Ｌ５と異なるように動作にさせると、第６照明装置Ｌ６によって照明される商品サンプルＡが効果的に目立つ。【選択図】図７
2008108128.tif 000002
【特許請求の範囲】
【請求項１】
複数の商品サンプルを展示する商品展示室を前面に備えた自動販売機において、
前記商品展示室内の互いに異なる所定範囲の商品サンプルをそれぞれ照明可能な複数のＬＥＤ照明装置と、
商品展示室の前面側における所定の検知範囲内の利用者を検知可能な検知手段と、
検知手段によって利用者が検知されると、各ＬＥＤ照明装置にそれぞれ所定の動作を行わせる販売時発光制御手段とを備えた
ことを特徴とする自動販売機。
【請求項２】
前記検知手段によって利用者が検知されなくなってから所定時間が経過すると、各ＬＥＤ照明装置にそれぞれ所定の動作を所定時間だけ行わせる販売後発光制御手段を備えた
ことを特徴とする請求項１記載の自動販売機。
【請求項３】
前記商品展示室内を複数のブロックに区画する区画部材を備え、
前記ＬＥＤ照明装置を、各ブロック内の商品サンプルをそれぞれ照明するように構成した
ことを特徴とする請求項１または２記載の自動販売機。
【請求項４】
前記販売時発光制御手段を、各ＬＥＤ照明装置にそれぞれ前記所定の動作を行わせる初期段階で、点灯させるＬＥＤ照明装置の発光量が徐々に増加するように構成した
ことを特徴とする請求項１、２または３記載の自動販売機。
【請求項５】
前記販売時発光制御手段を、前記発光量が増加する速度を時間帯に応じて調整するように構成した
ことを特徴とする請求項４記載の自動販売機。
【請求項６】
外部の光量を検出する光量センサを備え、
販売時発光制御手段を、前記発光量が増加する速度を光量センサの検出結果に基づいて調整するように構成した
ことを特徴とする請求項４記載の自動販売機。
【請求項７】
前記販売後発光制御手段を、各ＬＥＤ照明装置にそれぞれ所定の動作を所定時間だけ行わせた後に、点灯させているＬＥＤ照明装置を発光量が徐々に減少するように構成した
ことを特徴とする請求項２記載の自動販売機。
【請求項８】
前記販売後発光制御手段を、前記発光量が減少する速度を時間帯に応じて調整するように構成した
ことを特徴とする請求項７記載の自動販売機。
【請求項９】
外部の光量を検出する光量センサを備え、
販売後発光制御手段を、前記発光量が減少する速度を光量センサの検出結果に基づいて調整するように構成した
ことを特徴とする請求項７記載の自動販売機。
【発明の詳細な説明】
【技術分野】
【０００１】
本発明は、複数の商品サンプルを収容して展示する商品展示室を前面に備え、貨幣の投入やボタンの操作等に応じて内部に収容している商品を販売する自動販売機に関するものである。
【背景技術】
【０００２】
従来、この種の自動販売機としては、前面を開口した自動販売機本体と、自動販売機本体の前面を開閉可能な外扉と、外扉の前面に設けられ、複数の商品サンプルを展示するための商品展示室と、商品展示室内に展示されている各商品サンプルの下面を支持するための透光性材料から成るサンプル台と、サンプル台の下側にサンプル台に沿って設けられた蛍光灯とを備え、蛍光灯によって各商品サンプルを下方から照明するようにしたものが知られている（例えば、特許文献１参照。）。
【０００３】
また、他の自動販売機としては、前記と同様の自動販売機本体、外扉及び商品展示室と、商品展示室内に展示されている複数の商品サンプルの背面側にそれぞれ設けられ、各商品サンプルを背面側からそれぞれ照明する複数のＬＥＤ（発光ダイオード）照明装置とを備えたものが知られている（例えば、特許文献２参照。）。
【特許文献１】特開２００４−８６８５３号公報
【特許文献２】特開２００５−２８５０２９号公報
【発明の開示】
【発明が解決しようとする課題】
【０００４】
ところで、前者の自動販売機では、各商品サンプルを蛍光灯によって照明するようにしているが、蛍光灯はＬＥＤに比べて消費電力量が大きく、ＬＥＤに比べて寿命が短いので、自動販売機の維持管理コストの低減を図る上で好ましくないという問題点があった。
【０００５】
また、後者の自動販売機では、各商品サンプルをＬＥＤ照明装置によって照明しており、蛍光灯と比較して消費電力量及び寿命の点で有利であるが、例えば前記自動販売機が通行量の少ない場所に設置されている場合は、ほとんど人目につかないにも拘わらず各ＬＥＤ照明装置によって各商品サンプルが照明され、電力を無用に消費するという問題点があった。
【０００６】
一方、夜間に通行量が少なくなることを考慮し、所定の時間以降に各ＬＥＤ照明装置を消灯させることも可能であるが、前記所定の時間の設定には通行量の調査が必要であり、通行量が季節や曜日によって変化する場合もあるので、各ＬＥＤ照明装置の消灯により販売機会を無用に逃すという問題点があった。
【０００７】
さらに、前記各自動販売機では、例えば各商品サンプルのうち一部の商品サンプルを販売促進の目的で目立たせる場合に、その一部の商品サンプルにシール等を貼って他の商品サンプルとの差別化を図っているが、商品展示室を遠くから見た場合に前記のシール等が目立たず、販売促進の効果が少ないという問題点があった。
【０００８】
本発明は前記問題点に鑑みてなされたものであり、その目的とするところは、商品展示室内の商品サンプルの照明に要する維持管理コストを低減することができるとともに、販売機会を無用に逃すことがなく、しかも商品展示室内の商品サンプルのうちの一部の商品サンプルを効果的に目立たせることのできる自動販売機を提供することにある。
【課題を解決するための手段】
【０００９】
本発明は前記目的を達成するために、複数の商品サンプルを展示する商品展示室を前面に備えた自動販売機において、前記商品展示室内の互いに異なる所定範囲の商品サンプルをそれぞれ照明可能な複数のＬＥＤ照明装置と、商品展示室の前面側における所定の検知範囲内の利用者を検知可能な検知手段と、検知手段によって利用者が検知されると、各ＬＥＤ照明装置にそれぞれ所定の動作を行わせる販売時発光制御手段とを備えている。
【００１０】
これにより、各商品サンプルは各ＬＥＤ照明装置によって照明されることから、蛍光灯によって各商品サンプルを照明する場合と比較して消費電力量及び寿命の点で有利である。また、各ＬＥＤ照明装置は各商品サンプルを照明可能であり、検知手段によって商品展示室の前面側に利用者が検知されると、販売時発光制御手段が各ＬＥＤ照明装置にそれぞれ所定の動作を行わせることから、例えば検知手段によって利用者が検知されるまでの間は各ＬＥＤ照明装置の発光量を少なくしておくと、利用者が近づくまでは各ＬＥＤ照明装置によって電力が無用に消費されることがなく、利用者が近づいた際に各ＬＥＤ照明装置を点灯させると、販売可能状態であることを利用者が認識する。また、各ＬＥＤ照明装置は互いに異なる所定範囲の商品サンプルをそれぞれ照明可能であり、販売時発光制御手段は各ＬＥＤ照明装置にそれぞれ所定の動作を行わせることから、例えば各ＬＥＤ照明装置のうち一部のＬＥＤ照明装置の光量を所定時間おきに変化させるようにすると、前記一部のＬＥＤ照明装置によって照明される商品サンプルが他の商品サンプルと異なるように照明される。
【発明の効果】
【００１１】
本発明によれば、蛍光灯によって各商品サンプルを照明する場合と比較して消費電力量及び寿命の点で有利であり、また、検知手段によって利用者が検知されるまでの間は各ＬＥＤ照明装置の発光量を少なくしておくと、利用者が近づくまでは各ＬＥＤ照明装置によって電力が無用に消費されることがなく、利用者が近づいた際に各ＬＥＤ照明装置を点灯させると、販売可能状態であることを利用者に認識させることができるので、商品展示室内の商品サンプルの照明に要する維持管理コストを低減することができるとともに、販売機会を無用に逃すことがない。さらに、一部のＬＥＤ照明装置によって照明される商品サンプルを他の商品サンプルと異なるように照明することができるので、商品展示室内の商品サンプルのうちの一部の商品サンプルを効果的に目立たせることができ、一部の商品の販売促進等を行う上で極めて有利である。
【発明を実施するための最良の形態】
【００１２】
図１乃至図７は本発明の一実施形態を示すもので、図１は自動販売機の斜視図、図２は自動販売機の要部斜視図、図３は自動販売機の正面図、図４は各商品サンプルを取外した状態の自動販売機の要部正面図、図５は自動販売機のブロック図、図６は制御装置の動作を示すフローチャート、図７は自動販売機の動作説明図である。尚、以下の文章中の方向の説明は図１に示した方向に準ずる。また、左右方向と幅方向は一致している。
【００１３】
この自動販売機は、前面を開口した自動販売機本体１０と、自動販売機本体１０の前面を開閉可能な外扉２０と、外扉２０の前面に設けられ、複数の商品サンプルＡを収容して展示するための商品展示室３０とを備えている。各商品サンプルＡは飲料商品のサンプルであり、透明なプラスチックから成る。また、各商品サンプルＡは半円筒状に形成され、それぞれ対応する飲料商品の外観を印刷したシールが貼付されている。
【００１４】
自動販売機本体１０は図示しない商品収納部を有し、商品収納部内に飲料商品を収容するとともに、商品収納部内の飲料商品を加熱または冷却するようになっている。
【００１５】
外扉２０の前面には、貨幣投入口２１、硬貨返却口２２、複数の商品選択ボタン２３、商品取出口２４及び光量センサ２５が設けられている。光量センサ２５は外部の光量を検出するようになっている。
【００１６】
商品展示室３０は、商品展示室３０の前面を形成する透明板３１と、商品展示室３０の背面を形成する背面板３２とを有する。また、商品展示室３０内には互いに上下方向に間隔をおいて３つのサンプル台３３が設けられ、各サンプル台３３は幅方向に延びるように形成されている。各サンプル台３３のうち上側の２つのサンプル台３３は商品展示室３０内を上下方向に仕切っている。また、商品展示室３０内には３つの遮蔽板３４が設けられ、各遮蔽板３４はそれぞれ各サンプル台３３の上面側から上方に延びるように設けられている。また、各遮蔽板３４はそれぞれ商品展示室３０内を幅方向に仕切るように形成されている。即ち、上側の２つのサンプル台３３及び各遮蔽板３４によって商品展示室３０内が第１ブロックＢ１〜第６ブロックＢ６に区画されている（図１乃至図４参照）。
【００１７】
各商品サンプルＡは各サンプル台３０の上面の所定の位置に取付けられる。また、各商品サンプルＡは各ブロックＢ１〜Ｂ６にそれぞれ４つずつ配置され、各商品サンプルＡは各ブロックＢ１〜Ｂ６内で互いに幅方向に間隔をおいて配置される。さらに、各商品サンプルＡは背面板３２に沿うように各サンプル台３３に取付けられる。
【００１８】
各ブロックＢ１〜Ｂ６にはそれぞれ第１照明装置Ｌ１〜第６照明装置Ｌ６がそれぞれ設けられ、各照明装置Ｌ１〜Ｌ６はそれぞれ１２個のＬＥＤ（発光ダイオード）を有する。各ＬＥＤは各商品サンプルＡの背面側に３つずつ配置され、３つのＬＥＤは互いに上下方向に並ぶように配置されている。各ＬＥＤはそれぞれ白色光を前方に向かって照射可能であり、各ＬＥＤの白色光によって各商品サンプルＡが背面側から照明される。各照明装置Ｌ１〜Ｌ６は各ＬＥＤに任意の量の電流を供給可能な図示しない基板をそれぞれ有し、各照明装置Ｌ１〜Ｌ６の基板はそれぞれ背面板３２の背面側に配置されている。各基板は１２個のＬＥＤを互いに等しい光量で点灯させるようになっている。
【００１９】
商品展示室３０内の上端側且つ右側には人感センサ４０が設けられ、人感センサ４０は商品展示室３０の前面側の利用者を検知可能である。詳しくは、人感センサ４０は赤外線を用いた周知の構造を有し、自動販売機の設置面における所定範囲ＳＡ内に利用者の足元が侵入すると、人感センサ４０が利用者を検知するようになっている（図１参照）。
【００２０】
各照明装置Ｌ１〜Ｌ６、光量センサ２５及び人感センサ４０は制御装置５０に接続されている。制御装置５０は周知のマイクロコンピュータから成る。
【００２１】
以上のように構成された自動販売機は、屋外であれば歩道の端などに設置され、屋内であれば通路の端などに設置される。
【００２２】
ここで、制御装置５０は人感センサ４０の検知結果や光量センサ２５の検出結果に基づき各照明装置Ｌ１〜Ｌ６をそれぞれ動作させるようになっている。制御装置５０の動作の一例を図６のフローチャートを参照しながら説明する。図６のフローチャートのステップＳ１〜ステップＳ６には特許請求の範囲に記載した販売時発光制御手段及び販売後発光制御手段が含まれている。
【００２３】
先ず、人感センサ４０によって商品展示室３０の前面側の所定範囲ＳＡ内に利用者が検知されない状態では（Ｓ１）、各照明装置Ｌ１〜Ｌ６を微少光量の光量１で点灯させる。各照明装置Ｌ１〜Ｌ６を光量１で点灯させる状態を待機状態とする。これにより、自動販売機が暗い場所に設置されて待機状態になった場合でも、各商品サンプルＡがわずかに認識される状態となり、利用者が自動販売機で販売している商品の種類を認識することができる。
【００２４】
前述のような状態で、人感センサ４０によって商品展示室３０の前面側の所定範囲ＳＡ内に利用者が検知されると（Ｓ１）、第１照明装置Ｌ１〜第５照明装置Ｌ５を前記光量１よりも光量が多い光量２で点灯させ、第６照明装置Ｌ６を前記光量２よりも光量が多い光量３と光量２で所定時間（例えば２秒）おきに交互に点灯させる（Ｓ３）。即ち、人感センサ４０によって利用者が検知されるまでの間は各照明装置Ｌ１〜Ｌ６を微少光量の光量１で点灯させているので、利用者が近づくまでは各照明装置Ｌ１〜Ｌ６によって電力が無用に消費されることがない。また、利用者が近づいた際は各照明装置Ｌ１〜Ｌ６が前述のように各サンプルを明るく照明するので、販売可能状態であることを利用者が認識する。さらに、各照明装置Ｌ１〜Ｌ６は各ブロックＢ１〜Ｂ６内の商品サンプルＡをそれぞれ照明するようになっており、制御装置５０は第１照明装置Ｌ１〜第５照明装置Ｌ５を光量２で点灯させるとともに、第６照明装置Ｌ６を光量２と光量３で交互に点灯させるので、第６ブロックＢ６の各商品サンプルＡが他の商品サンプルＡと異なるように照明される。
【００２５】
一方、利用者が商品取出口から商品を取出して自動販売機から離れ、人感センサ４０によって利用者か検知されなくなってから所定時間（例えば５秒）が経過すると（Ｓ４）、各照明装置Ｌ１〜Ｌ６をそれぞれ所定時間（例えば３秒）ずつ順番に光量Ｌ２で点灯させる（Ｓ５）。点灯させる順番はＬ１→Ｌ２→Ｌ３→Ｌ６→Ｌ５→Ｌ４の順番でも良く、Ｌ１→Ｌ４→Ｌ２→Ｌ５→Ｌ３→Ｌ６の順番でも良い。また、各照明装置Ｌ１〜Ｌ６を光量２で同時に点滅させても良く、各照明装置Ｌ１〜Ｌ６をランダムに点滅させても良い。
【００２６】
各照明装置Ｌ１〜Ｌ６を順番に点灯させ始めてから所定時間（例えば２０秒）が経過するとステップＳ１に戻る。即ち、その時点で人感センサ４０によって利用者が検知されなければ（Ｓ１）、各照明装置Ｌ１〜Ｌ６を光量１で点灯させる待機状態にする（Ｓ２）。
【００２７】
このように、本実施形態によれば、各商品サンプルＡは各照明装置Ｌ１〜Ｌ６によって照明されることから、蛍光灯によって各商品サンプルＡを照明する場合と比較して消費電力量及び寿命の点で有利である。また、各照明装置Ｌ１〜Ｌ６は各商品サンプルＡを照明可能であり、制御装置５０は人感センサ４０の検知結果に基づき各照明装置Ｌ１〜Ｌ６をそれぞれ動作させるようになっているので、人感センサ５０によって利用者が検知されるまでの間は各照明装置Ｌ１〜Ｌ６を微少光量の光量１で点灯させると、利用者が近づくまでは各照明装置Ｌ１〜Ｌ６によって無用に電力が消費されることがなく、人感センサ４０によって商品展示室３０の前面側に利用者が検知された際に各照明装置Ｌ１〜Ｌ６を光量１よりも光量の多い光量２または光量３で点灯させると、販売可能状態であることが利用者に認識される。従って、商品展示室３０の商品サンプルＡの照明に要する維持管理コストを低減することができるとともに、販売機会を無用に逃すことがない。
【００２８】
また、各照明装置Ｌ１〜Ｌ６はそれぞれ各ブロックＢ１〜Ｂ６の商品サンプルＡを照明可能であり、人感センサ４０によって利用者が検知されると、制御装置５０は第１照明装置Ｌ１〜第５照明装置Ｌ５を光量Ｌ２で点灯させるとともに、第６照明装置Ｌ６を光量Ｌ２と光量Ｌ３で交互に点灯させることから、第６照明装置Ｌ６によって照明される商品サンプルＡが他の商品サンプルＡと異なるように照明される。従って、商品展示室３０内の商品サンプルＡのうち第６ブロックＢ６の商品サンプルＡを効果的に目立たせることができ、第６ブロックＢ６に展示した商品の販売促進を図る上で極めて有利である。
【００２９】
ここで、各商品サンプルＡを白色以外の例えば緑色光や黄色光で照明すると、各商品サンプルＡが本来の色と異なる色に見える。また、各商品サンプルＡは飲料商品に応じた様々な色を有するので、一部の商品サンプルＡを例えば緑色光や黄色光で背面側から照明するとともに、他の商品サンプルＡを白色光で背面側から照明しても、前記一部の商品サンプルＡが本来の色で見えなくなるだけで、前記一部の商品サンプルＡを他の商品に対して目立たせる効果がほとんど無い場合もある。さらに、各商品サンプルＡの背面側にそれぞれ設けられたＬＥＤの動作を商品サンプルＡごとに制御し、例えば互いに離れた場所に配置されている２つの商品サンプルＡを他の商品サンプルＡよりも明るく照明することにより、前記２つの商品サンプルＡを目立たせるようにすることも可能であるが、商品サンプルＡごとにＬＥＤの動作を制御するため装置の構成が複雑になり、装置の操作も複雑になる。
【００３０】
これに対し、本実施形態では、各照明装置Ｌ１〜Ｌ６はそれぞれ各ブロックＢ１〜Ｂ６の商品サンプルＡを白色光によって照明可能であり、人感センサ５０によって利用者が検知されると、第１照明装置Ｌ１〜第５照明装置Ｌ５を光量２で点灯させるとともに、第６照明装置Ｌ６を光量２と光量３で交互に点灯させることから、各商品サンプルＡのうち第６照明装置Ｌ６によって照明される第６ブロックＢ６の各商品サンプルＡを他のブロックＢ１〜Ｂ５の各商品サンプルＡに対して確実に目立たせることができ、しかも各商品サンプルＡが本来の色で見える。尚、第６照明装置Ｌ６を光量３で光量を変えずに点灯させた場合でも、第６ブロックＢ６の各商品サンプルＡが他のブロックＢ１〜Ｂ５の各商品サンプルＡに対して確実に目立つ。また、各照明装置Ｌ１〜Ｌ６はそれぞれ互いに異なる所定範囲の商品サンプルＡ照明するようになっており、制御装置５０は各照明装置Ｌ１〜Ｌ６の動作をそれぞれ制御するようになっているので、商品サンプルＡごとにＬＥＤの動作を制御する場合と比較して装置の構成を簡素化することができ、装置の操作も容易になる。また、各商品サンプルＡのうち所定範囲の商品サンプルＡをまとめて目立たせるようにしているので、商品展示室３０が落ち着いた雰囲気になる。さらに、各照明装置Ｌ１〜Ｌ６が全て白色光によって各商品サンプルＡを照明するようになっているので、商品展示室３０がより落ち着いた雰囲気になる。尚、各照明装置Ｌ１〜Ｌ６の光が完全な白色ではなく少し青色や黄色等が入っている場合でも、各照明装置Ｌ１〜Ｌ６の光の色が統一されていれば、前述と同様の効果が得られる。
【００３１】
また、商品展示室３０内が上側の２つのサンプル台３３及び各遮蔽板３４によって６つのブロックＢ１〜Ｂ６に区画され、各照明装置Ｌ１〜Ｌ６は各ブロックＢ１〜Ｂ６内の商品サンプルＡをそれぞれ照明するようになっているので、例えば第６照明装置Ｌ６に他の照明装置Ｌ１〜Ｌ５と異なる点灯を行わせ、第６照明装置Ｌ６によって照明される第６ブロックＢ６の各商品サンプルＡを目立たせる場合に、商品展示室３０内が各サンプル台３３及び各遮蔽板３４によって区画されている分だけ第６ブロックＢ６の各商品サンプルＡが目立ち易くなる。
【００３２】
また、人感センサ４０によって利用者が検知されなくなってから所定時間が経過すると、各照明装置Ｌ１〜Ｌ６をそれぞれ所定時間（例えば３秒）ずつ順番に光量Ｌ２で点灯させ、各照明装置Ｌ１〜Ｌ６を順番に点灯させ始めてから所定時間（例えば２０秒）が経過すると、各照明装置Ｌ１〜Ｌ６を光量１で点灯させる待機状態にすることから、利用者や通行人が自動販売機の動作に興味を抱き、販売促進を行う上で有利である。
【００３３】
尚、本実施形態では、図６のように各照明装置Ｌ１〜Ｌ６を制御するようにしたものを示したが、図８のように各照明装置Ｌ１〜Ｌ６を制御することも可能である。以下に図８のフローチャートにおける制御装置５０の動作を説明する。図８のフローチャートのステップＳ１１〜ステップＳ２１には特許請求の範囲に記載した販売時発光制御手段及び販売後発光制御手段が含まれている。
【００３４】
先ず、人感センサ４０によって商品展示室３０の前面側の所定範囲ＳＡ内に利用者が検知されない状態では（Ｓ１１）、各照明装置Ｌ１〜Ｌ６を消灯させる（Ｓ２）。これにより、利用者が近づくまでは各照明装置Ｌ１〜Ｌ６によって無用に電力が消費されることがない。
【００３５】
続いて、人感センサ４０によって商品展示室３０の前面側の所定範囲ＳＡ内に利用者が検知され（Ｓ１１）、人感センサ４０によって利用者が検知された時点の光量センサ２５の検出結果が所定の光量Ｎ以上である場合は（Ｓ１３）、第１照明装置Ｌ１〜第５照明装置Ｌ５を速度１で徐々に光量を増加させて光量２で点灯させるとともに、第６照明装置Ｌ６を速度１で徐々に光量を増加させて光量３で点灯させる（Ｓ１４）。また、人感センサ４０によって利用者が検知され（Ｓ１１）、人感センサ４０によって利用者が検知された時点の光量センサ２５の検出結果が所定の光量Ｎ未満である場合は（Ｓ１３）、第１照明装置Ｌ１〜第５照明装置Ｌ５を速度１よりも遅い速度２で徐々に光量を増加させて光量２で点灯させるとともに、第６照明装置Ｌ６を速度２で徐々に光量を増加させて光量３で点灯させる（Ｓ１５）。これにより、第６ブロックＢ６の各商品サンプルＡが他の商品サンプルＡと異なるように照明されるので、商品展示室３０内の各商品サンプルＡのうち第６ブロックＢ６の商品サンプルＡを効果的に目立たせることができる。
【００３６】
続いて、利用者が自動販売機から離れ、人感センサ４０によって利用者が検知されなくなってから所定時間（例えば５秒）が経過すると（Ｓ１６）、各照明装置Ｌ１〜Ｌ６をそれぞれ光量Ｌ２で点灯させる（Ｓ１７）。各照明装置Ｌ１〜Ｌ６を光量２で点灯させ始めてから所定時間（例えば２０秒）が経過し（Ｓ１８）、人感センサ４０によって利用者が検知された時点の光量センサ２５の検出結果が所定の光量Ｎ以上である場合は（Ｓ１９）、各照明装置Ｌ１〜Ｌ６を速度３で徐々に光量を減少させて消灯させる（Ｓ２０）。また、各照明装置Ｌ１〜Ｌ６を光量２で点灯させ始めてから所定時間（例えば２０秒）が経過し（Ｓ１８）、人感センサ４０によって利用者が検知された時点の光量センサ２５の検出結果が所定の光量Ｎ未満である場合は（Ｓ１９）、各照明装置Ｌ１〜Ｌ６を速度３よりも遅い速度４で徐々に光量を減少させて消灯させる（Ｓ２１）。これにより、利用者が自動販売機を離れても所定時間だけ各商品サンプルＡが光量Ｌ２で照明され、各商品サンプルＡが通行人の目にとまるので、販売促進を行う上で有利である。
【００３７】
また、各人感センサ４０によって利用者が検知された後、各照明装置Ｌ１〜Ｌ６をそれぞれ点灯させる初期段階において、点灯させる各照明装置Ｌ１〜Ｌ６の発光量が徐々に増加するように構成したので、各照明装置Ｌ１〜Ｌ６が利用者に眩しさを感じさせることがなく、各照明装置Ｌ１〜Ｌ６のＬＥＤや基板に加わる負荷を低減することもできる。
【００３８】
さらに、各照明装置Ｌ１〜Ｌ６の発光量が増加する速度を光量センサ２５の検出結果に基づいて調整するようにしたので、例えば、自動販売機が屋外に設置されており、前記所定の光量Ｎが夕刻の光量である場合は、各照明装置Ｌ１〜Ｌ６の発光量が増加する速度は昼間よりも夜間の方が遅くなり、各照明装置Ｌ１〜Ｌ６の点灯によって利用者に眩しさを感じさせない上で極めて有利である。
【００３９】
また、人感センサ４０によって利用者が検知されなくなり、各照明装置Ｌ１〜Ｌ６を光量２で点灯させ始めてから所定時間が経過した後に、点灯させている各照明装置Ｌ１〜Ｌ６を発光量が徐々に減少するように構成したので、自動販売機の周りが突然暗くなることがなく、利用者や通行人の目を自動販売機の周囲の照度に徐々に慣れさせることができる。
【００４０】
さらに、各照明装置Ｌ１〜Ｌ６の発光量が減少する速度を光量センサ２５の検出結果に基づいて調整するようにしたので、例えば、自動販売機が屋外に設置されており、前記所定の光量Ｎが夕刻の光量である場合は、各照明装置Ｌ１〜Ｌ６の発光量が減少する速度は昼間よりも夜間の方が遅くなるので、利用者や通行人の目を自動販売機の周囲の照度に徐々に慣れさせる上で極めて有利である。
【００４１】
尚、図８のフローチャートでは、各照明装置Ｌ１〜Ｌ６の発光量の増減速度を光量センサ２５の検出結果に基づき調整するようにしたものを示したが、各照明装置Ｌ１〜Ｌ６の発光量の増減速度を時間帯に応じて調整することも可能である。
【００４２】
尚、本実施形態では、各照明装置Ｌ１〜Ｌ６は複数のＬＥＤによって各商品サンプルＡを背面側から照明するように構成されている。これに対し、各照明装置Ｌ１〜Ｌ６の各ＬＥＤを各商品サンプルＡの上方に設け、各商品サンプルＡを上方から照明することも可能であり、この場合でも前述と同様の効果が得られる。また、各照明装置Ｌ１〜Ｌ６の各ＬＥＤを各商品サンプルＡの下方に設け、各商品サンプルＡを下方から照明することも可能である。
【図面の簡単な説明】
【００４３】
【図１】本発明の一実施形態を示す自動販売機の斜視図
【図２】自動販売機の要部斜視図
【図３】自動販売機の正面図
【図４】各商品サンプルを取外した状態の自動販売機の要部正面図
【図５】自動販売機のブロック図
【図６】制御装置の動作を示すフローチャート
【図７】自動販売機の動作説明図
【図８】制御装置の他の動作を示すフローチャート
【符号の説明】
【００４４】
１０…自動販売機本体、２０…外扉、２１…貨幣投入口、２２…硬貨返却口、２３…商品選択ボタン、２４…商品取出口、２５…光量センサ、３０…商品展示室、３１…透明板、３２…背面板、３３…サンプル台、３４…遮蔽板、４０…人感センサ、５０…制御装置、Ａ…商品サンプル、Ｂ１〜Ｂ６…ブロック、Ｌ１〜Ｌ６…照明装置。
【図１】
2008108128.tif 000003
【図２】
2008108128.tif 000004
【図３】
2008108128.tif 000005
【図４】
2008108128.tif 000006
【図５】
2008108128.tif 000007
【図６】
2008108128.tif 000008
【図７】
2008108128.tif 000009
【図８】
2008108128.tif 000010